(57)【特許請求の範囲】
【請求項１】
照明装置であって、
少なくとも１つの固体発光素子を含み、第１の色の光を放射する第２のグループの固体発光素子と、
第２のグループの固体発光素子に隣接して配置され、該第２のグループの固体発光素子により放射された第１の色の光のいくらかを第２の色の光に変換する第２のグループのルミファと、
少なくとも１つの固体発光素子を含み、第３の色の光を放射する第１のグループの固体発光素子と、
第１及び第２の電流調整設定を含む複数の電流調整設定の間で切り替え可能である第１の電流調整器と、
第３及び第４の電流調整設定を含む複数の電流調整設定の間で切り替え可能である第２の電流調整器と、
第１及び第２のマスター電流調整設定を含む複数のマスター電流調整設定の間で切り替え可能なマスター電流調整器と
からなり、
第１の色の光、第２の色の光及び第３の色の光は、混合されると白色光となり、
マスター電流調整器が第１のマスター電流調整設定に切り替えられているとき、第１の電流調整器が第１の電流調整設定に切り替えられ、第２の電流調整器が第３の電流調整設定に切り替えられ、
マスター電流調整器が第２のマスター電流調整設定に切り替えられているとき、第１の電流調整器が第２の電流調整設定に切り替えられ、第２の電流調整器が第４の電流調整設定に切り替えられ、
照明装置に電力が供給されて、第１の電流調整器が第１の電流調整設定に切り替えられているとき、第１の電流が第１のグループの固体発光素子に供給され、
照明装置に電力が供給されて、第１の電流調整器が第２の電流調整設定に切り替えられているとき、第２の電流が第１のグループの固体発光素子に供給され、
照明装置に電力が供給されて、第２の電流調整器が第３の電流調整設定に切り替えられているとき、第３の電流が第２のグループの固体発光素子に供給され、
照明装置に電力が供給されて、第２の電流調整器が第４の電流調整設定に切り替えられているとき、第４の電流が第２のグループの固体発光素子に供給される
ことを特徴とする照明装置。
【請求項２】
請求項１記載の照明装置において、
第１の電流が第１のグループの固体発光素子それぞれに供給され、第３の電流が第２のグループの固体発光素子それぞれに供給されたとき、第１のグループの固体発光素子それぞれからの光の混合光は第１の強度であり、第２のグループの固体発光素子それぞれからの光の混合光は第２の強度を有し、
第２の電流が第１のグループの固体発光素子それぞれに供給され、第４の電流が第２のグループの固体発光素子それぞれに供給されたとき、第１のグループの固体発光素子それぞれからの光の混合光は第３の強度であり、第２のグループの固体発光素子それぞれからの光の混合光は第４の強度を有し、
第２の強度に対する第１の強度の比は、第４の強度に対する第３の強度の比から、５％未満だけ異なっている
ことを特徴とする照明装置。
【請求項３】
請求項１又は２記載の照明装置において、
第１の電流が第１のグループの固体発光素子それぞれに供給され、第３の電流が第２のグループの固体発光素子それぞれに供給されたとき、第１のグループの固体発光素子それぞれからの光と第２のグループの固体発光素子それぞれからの光と第２のグループのルミファからの光との混合光は、白色であり、
第２の電流が第１のグループの固体発光素子それぞれに供給され、第４の電流が第２のグループの固体発光素子それぞれに供給されたとき、第１のグループの固体発光素子それぞれからの光と第２のグループの固体発光素子それぞれからの光と第２のグループのルミファからの光との混合光は、白色である
ことを特徴とする照明装置。
【請求項４】
請求項１〜３いずれかに記載の照明装置において、
第１の電流調整器は、第１の電流調整設定及び第２の電流調整設定に加えて、第７の電流調整設定の少なくとも３つの電流調整設定の間で切り替え可能であり、
第２の電流調整器は、第３の電流調整設定及び第４の電流調整設定に加えて、第８の電流調整設定の少なくとも３つの電流調整設定の間で切り替え可能であり、
照明装置に電力が供給されて、第１の電流調整器が第７の電流調整設定に切り替えられているとき、第７の電流が第１のグループの固体発光素子に供給され、
照明装置に電力が供給されて、第２の電流調整器が第８の電流調整設定に切り替えられているとき、第８の電流が第２のグループの固体発光素子に供給される
ことを特徴とする照明装置。
【請求項５】
請求項４記載の照明装置において、
第７の電流調整設定の第２の電流調整設定に対する比は、第７の電流を第２の電流で除算した値として定義され、
第８の電流調整設定の第４の電流調整設定に対する比は、第８の電流を第４の電流で除算した値として定義され、
第７の電流調整設定の第２の電流調整設定に対する比は、第８の電流調整設定の第４の電流調整設定に対する比から少なくとも５％異なっている
ことを特徴とする照明装置。
【請求項６】
請求項１〜５いずれかに記載の照明装置において、
第１の電流が第１のグループの固体発光素子それぞれに供給され、第３の電流が第２のグループの固体発光素子それぞれに供給されたとき、第１のグループの固体発光素子それぞれからの光と第２のグループの固体発光素子それぞれからの光と第２のグループのルミファからの光との混合光は、１９７６年ＣＩＥ色図上の第１の相関色温度を有する第１の点に対応し、
第２の電流が第１のグループの固体発光素子それぞれに供給され、第４の電流が第２のグループの固体発光素子それぞれに供給されたとき、第１のグループの固体発光素子それぞれからの光と第２のグループの固体発光素子それぞれからの光と第２のグループのルミファからの光との混合光は、１９７６年ＣＩＥ色図上の第２の相関色温度を有する第２の点に対応し、
第１の相関色温度は、第２の色相関温度と４ＭａｃＡｄａｍ楕円以下だけ異なっていることを特徴とする照明装置。
【請求項７】
請求項１〜６いずれかに記載の照明装置において、
第１のグループの固体発光素子はそれぞれ、第１グループ波長の２０ナノメーター以内の主波長を有する光を発生し、
第２のグループの固体発光素子はそれぞれ、第２グループ波長の２０ナノメーター以内の主波長を有する光を発生することを特徴とする照明装置。
【請求項８】
請求項１〜７いずれかに記載の照明装置において、該装置はさらに、
少なくとも１つの固体発光素子を含んだ第３のグループの固体発光素子と、
第５及び第６の電流調整設定を含む複数の電流調整設定の間で切り替え可能である第３の電流調整器と
を備え、
照明装置に電力が供給されて、第３の電流調整器が第５の電流調整設定に切り替えられているとき、第５の電流が第３のグループの固体発光素子に供給され、
照明装置に電力が供給されて、第３の電流調整器が第６の電流調整設定に切り替えられているとき、第６の電流が第３のグループの固体発光素子に供給される
ことを特徴とする照明装置。
【請求項９】
請求項８記載の照明装置において、
照明装置に電力が供給されて、第３の電流調整器が第６の電流調整設定に切り替えられているとき、第６の電流が第３のグループの固体発光素子に供給され、
第６の電流調整設定の第５の電流調整設定に対する比は、第６の電流を第５の電流で除算した値として定義され、
第６の電流調整設定の第５の電流調整設定に対する比は、第２の電流調整設定の第１の電流調整設定に対する比から少なくとも５％異なっており、また、第４の電流調整設定の第３の電流調整設定に対する比から少なくとも５％異なっている
ことを特徴とする照明装置。
【請求項１０】
照明する方法であって、
マスター電流調整器を第１のマスター電流調整設定から第２のマスター電流調整設定に切り替えることにより、第１の電流調整器を第１の電流調整設定から第２の電流調整設定に切り替えて、第１のグループの固体発光素子に供給される電流を第１の電流から第２の電流に調整し、第２の電流調整器を第３の電流調整設定から第４の電流調整設定に切り替えて、第２のグループの固体発光素子に供給される電流を第３の電流から第４の電流に調整する調整ステップと、
マスター電流調整器を第２のマスター電流調整設定から第１のマスター電流調整設定に切り替えることにより、第１の電流調整器を第２の電流調整設定から第１の電流調整設定に切り替えて、第１のグループの固体発光素子に供給される電流を第２の電流から第１の電流に調整し、第２の電流調整器を第４の電流調整設定から第３の電流調整設定に切り替えて、第２のグループの固体発光素子に供給される電流を第４の電流から第３の電流に調整する調整ステップと
を含み、
第２のグループの固体発光素子は、少なくとも１つの固体発光素子を含み、第１の色の光を放射し、かつ、該第２のグループの固体発光素子に隣接して、該第２のグループの固体発光素子により放射された第１の色の光のいくらかを第２の色の光に変換する第２のグループのルミファを有し、
第１のグループの固体発光素子は、少なくとも１つの固体発光素子を含み、第３の色の光を放射し、
第１の色の光、第２の色の光及び第３の色の光は、混合されると白色光となる
ことを特徴とする照明方法。
【請求項１１】
請求項１０記載の照明方法において、
第１の調整ステップの前の第１のグループの固体発光素子それぞれからの光の混合光は、第１の強度を有し、
第２の調整ステップの前の第２のグループの固体発光素子それぞれからの光の混合光は、第２の強度を有し、
第１の調整ステップの後の第１のグループの固体発光素子それぞれからの光の混合光は、第３の強度を有し、
第２の調整ステップの後の第２のグループの固体発光素子それぞれからの光の混合光は、第４の強度を有し、
第２の強度に対する第１の強度の比は、第４の強度に対する第３の強度の比から、５％未満だけ異なっている
ことを特徴とする照明方法。
【請求項１２】
請求項１記載の照明装置において、
第１の電流調整器は、第１及び第２の電流調整設定を含む複数の電流調整設定の間で順次切り替え可能であり、
第２の電流調整器は、第３及び第４の電流調整設定を含む複数の電流調整設定の間で順次切り替え可能である
ことを特徴とする照明装置。
【請求項１３】
請求項１０又は１１記載の照明方法において、
第１の調整ステップにおいて、第１の電流調整器は、第１の電流調整設定から第２の電流調整設定に交互に切り替えられ、
第２の調整ステップにおいて、第２の電流調整器は、第３の電流調整設定から第４の電流調整設定に交互に切り替えられる
ことを特徴とする照明方法。
【発明の詳細な説明】
【技術分野】
【０００１】
関連する出願への相互参照
この出願は、２００６年５月３１日に出願された米国仮特許出願第６０／８０９，５９５号の利益を主張するものであり、その出願の全体は、参照によりここに組み入れられる。
【０００２】
発明の分野
本発明は、照明装置、特に、該照明装置からの光の全体強度を変更するように、容易に動作されることのできる照明装置に向けられている。特に、該発明は、１つ、またはそれ以上の固体発光素子よりなり、該デバイスからの光の全体強度が変化したときに、色の変化を最小化する、または避けることのできる照明装置に関係する。本発明はまた、該照明装置からの光の全体強度を、変更する方法に向けられている。
【背景技術】
【０００３】
発明の背景
毎年、米国において生成される電気の多くの部分（いくつかの見積りは、２５％と高い）は、照明に行っている。したがって、よりエネルギー効率の高い照明を与える、進行中の必要がある。白熱電球は、エネルギー効率のよくない光源であることはよく知られている−それらが消費する電気の約９０％は、光よりむしろ熱として開放される。蛍光灯バルブは、白熱電球より、（約１０倍だけ）より効率的であるが、しかし、発光ダイオード等の、固体発光素子に比較すると、まだ、きわめて非効率である。
【０００４】
さらに、固体発光素子、たとえば、発行ダイオードの通常の寿命に比較すると、白熱電球は、相対的に短い寿命、たとえば、代表的に約７５０−１０００時間を持つ。比較するに、発光ダイオードは、たとえば、５０，０００時間と、７０，０００時間の間の代表的な寿命を、持つ。蛍光灯は、白熱灯より、より長い寿命（たとえば、１０，０００−２０，０００時間）を持つが、しかし、色再現の好ましさは低い。
【０００５】
色再現は、代表的に、演色評価指数（ＣＲＩ Ｒａ）を用いて測定される。ＣＲＩ Ｒａは、照明システムの色再現が、８個の参照色を照明するときの参照放射器のそれとどのように比較されるかの測定結果の修整された平均である、すなわち、それは、特定のランプにより照明されたときの、対象物の表面色のシフトの相対的な示しである。該ＣＲＩ Ｒａは、もし、照明システムにより照射されている１セットのテストカラーのカラー座標が、参照放射器により照射されている同じテストカラーの座標と同じであるとき、１００に等しく（約１００のＲａ）、白熱電球は、また、比較的近く（９５より大きいＲａ）、蛍光照明は、より正確さが低い（７０−８０の代表的Ｒａ）。あるタイプの特殊化された照明は、大変低いＣＲＩを持つ（たとえば、水銀蒸気またはナトリウムランプは、約４０、あるいは、さらにより低い、のように低いＲａを持つ）。ナトリウムランプは、たとえば、光高速道路に用いられるが、 − ドライバー応答時間は、しかしながら、より低いＣＲＩ Ｒａの値とともに、実質的に低下する（任意の与えられた輝度に対して、視認性は、より低いＣＲＩ Ｒａとともに減少する）。
【０００６】
従来の電灯設備 により直面されるもう１つの問題は、照明装置（たとえば、電灯バルブ等）を、周期的に置き換える必要である。このよう問題は、特に、アクセスが困難である（たとえば、丸天井、橋、高いビル、交通トンネル）ところで、および／または、交換コストが極端に高いところで表明されている。従来の電灯設備の代表的な寿命は、少なくとも約４４，０００時間の光発生装置の使用（２０年間にわたる１日６時間の使用に基づく）に対応する、約２０年である。光発生装置の寿命は、代表的にもっと小さく、これにより、周期的な交換の必要を生じる。
【０００７】
したがって、これらの、および、他の理由により、それにより、発光ダイオード、および、他の固体発光素子を、短広い範囲の応用において、白熱電球、蛍光灯、および他の光発生装置の代わりに用いることのできる方法を開発する努力が、行われ続けてきた。さらに、発光ダイオード（または、他の固体発光素子）がすでに用いられているところでは、たとえば、エネルギー効率、演色評価指数（ＣＲＩ Ｒａ）、コントラスト、有効性（ｌｍ／Ｗ）、コスト、および／または、サービス期間、に関して改善された発光ダイオード（または、他の固体発光素子）を与えるよう、努力が行われ続けてきている。
【０００８】
種々の固体発光素子が、よく知られている。たとえば、固体発光素子の１つのタイプは、発光ダイオードである。
発光ダイオードは、電流を、光に変換する公知の半導体デバイスである。広い範囲の発光ダイオードは、目的の今でも拡大する範囲のために、ますます広い範囲において使用されている。
【０００９】
より特定的には、発光ダイオードは、電位差が、ｐｎ接合構造に対して印加されたとき、光（紫外線、可視光、または赤外線）を、発する半導電性の装置である。発光ダイオード、および、多くの関連する構造を作る多くの公知の方法があり、本発明は、任意のこのような装置を用いることができる。たとえば、Ｓｚｅの半導体装置の物理学（１９８１年、第２版）の第１２−１４章、および、Ｓｚｅの現代半導体装置物理学（１９９８）の第７章は、発光ダイオードを含む、広い範囲の光子装置を、記述している。
【００１０】
表現“発光ダイオード”は、ここで、基本的な半導体ダイオード構造（すなわち、“チップ”）を言及するのに使用される。共通に認識され、商業的に入手可能な“ＬＥＤ”であって、（たとえば、）電子ショップにおいて売られているものは、多くの部品から作られている“パッケージされた”デバイスを表す。これらのパッケージされたデバイスは、代表的に、米国特許第４，９１８，４８７；５，６３１，１９０；および５，９１２，４７７号明細書に記述されたような（しかしそれらに限定されない）半導体ベースの発光ダイオード；種々のワイヤ接続、および発光ダイオードを収容するパッケージを含む。
【００１１】
よく知られているように、発光ダイオードは、半導体活性（発光）層の導電帯と価電子帯との間のバンドギャップを横切って電子を励起することにより、光を生成する。電子遷移は、エネルギーギャップに依存する波長で光を発生する。このように、発光ダイオードにより発光された光の色（波長）は、発光ダイオードの活性層の半導体材料に依存する。
【００１２】
発光ダイオードの開発は、多くの方法で照明産業を改革してきたが、発光ダイオードの特徴のいくらかは、そのいくらかはまだ十分に満たされていない挑戦を、提示してきた。たとえば、任意の特定の発光ダイオードの出射スペクトルは、代表的に（該発光ダイオードの組成、および構造により記述されるように）単一波長の周りに集中しており、これは、いくらかの応用のためには望ましいが、しかし、他の応用（たとえば、照明を与えるため、このような出射スペクトラムは、大変低いＣＲＩ Ｒａを与える）のためには望ましくない。
【００１３】
白と感じられる光は、必然的に、２つ、またはそれ以上の色の（または、波長の）ブレンドであるので、白色を生成することのできる単一の発光ダイオード接合は、まだ、開発されていない。“白色”ＬＥＤランプは、各赤、緑、および青の発光ダイオードにより形成された発光ダイオードピクセル／クラスターを持って、製造されてきた。他の、“白色”ＬＥＤランプは、(1) 青色光を発生する発光ダイオード、および、(2) 前記発光ダイオードにより発光された光による励起に応答して黄色光を発するルミネッセント材料（たとえば、リン発光体）を含んで生成され、これにより、該青色光、および黄色光は、混合されたとき、白色光と感知される光を生成する。
【００１４】
さらに、非主要色の結合を生成する主要色の混合は、一般に、この、および他の技術において、よく理解されている。一般に、１９３１年ＣＩＥ色度図（１９３１年に設けられた主要色の国際標準）、および、１９７６年ＣＩＥ色度図（１９３１年図に類似しているが、該図上の同様の距離は、同様の感受される色の差を表すよう修整されている）は、色を、主要色の重み付けされた和として定義するための、役にたつ参照を与える。
【００１５】
効率的な白色ＬＥＤランプのＣＲＩ Ｒａは、一般に、白熱電球（１００のＣＲＩ Ｒａ）に比べて低い（６５−７５の範囲内）。さらに、ＬＥＤの色温度は、一般に、“より冷たく”（〜５５００Ｋ）、かつ、白熱電球、または、ＣＣＦＬバルブ（〜２７００Ｋ）の色温度より望ましくない。ＬＥＤにおけるこれらの欠陥の両者は、選択された飽和された色のタのＬＥＤまたはルミファーの付加により改善されることができる。上記したように、本発明による光源は、特定の（ｘ、ｙ）色度座標の光源の特定の色の“ブレンディング”を利用することができる（米国特許出願第６０／７５２，５５５号、２００５年１２月２１日出願、名称“照明装置、および照明方法”（発明者：アントニー  ポール  ヴァンデヴェン、およびジェラルド  Ｈ．ネグレイ）、その全体は、参照によりここに組み入れられる、参照）。たとえば、付加的な選択された飽和した源からの光を、非飽和の広スペクトラム源と混合して、均一な照明を、脱カラー化の任意の領域なしに、与えるようにすることができる；かつ、もし、望まれれば、化粧的な理由により、該個々の発光素子は、該照明源または、開口が、直接見られるときは、離散的なデバイス、または離散的な色領域とは見られないように、することができる。
【００１６】
発光ダイオードは、このように、ここに、または任意の結合において、１つ、またはそれ以上のルミネッセント材料（たとえば、リン発光体、または、シンチレーター）および／または、フィルタとともに用いて、任意の所望の（白を含む）感受された色の光を、生成することができる。したがって、現存する光源を、発光ダイオード光源により、たとえば、エネルギー効率、演色評価指数（ＣＲＩ Ｒａ）、有効性（ｌｍ／Ｗ）、および／または、サービス期間、に関して改善するために置き換えるよう、努力がなされつづけている領域は、任意の特定の色の光、あるいは色のブレンドの光に、限定されるものではない。
【００１７】
本発明に関係する側面は、１９３１年ＣＩＥ色度図（１９３１年に設けられた主要色の国際標準）上で、または、１９７６年ＣＩＥ色度図上で、表現されることができる。図１は、１９３１年ＣＩＥ色度図を示す。図２は１９７６色度図を示す。図３は、黒体位置をより詳細に示すために、１９７６年色度図の拡大部分を示す。当業者は、これらの図をよく知っており、かつ、これらの図は、（たとえば、インターネット上で、“ＣＩＥ色度図”をサーチすることにより、）容易に利用可能である。
【００１８】
ＣＩＥ色度図は、２つのＣＩＥパラメータｘおよびｙ（１９３１年色度図の場合）、またはｕ’およびｖ’（１９７６年色度図の場合）により、人間のカラー感受性を描き出す。ＣＩＥ色度図の技術的説明のために、たとえば、「物理科学および技術百科事典」、Ｖｏｌ.７、２３０-２３１（ロバートＡメイヤー、１９８７版）を参照ください。スペクトルカラーは、人間の目によって認知される色合いのすべてを含む、外枠を描かれたスペースのエッジの周りに分布する。 境界線ラインは、スペクトルカラーのための、最大飽和を表現する。 上記したとおり、１９７６年ＣＩＥ色度図は、１９３１年色度図に、１９７６年図が、該図上の同様の距離は、認知される同様の色の差異をあらわすよう、修整されている点以外、類似している。
【００１９】
１９３１年の図において、該図上の点からのずれが、座標により、あるいは、感受される色の相違の程度に関する示しを与えるために、ＭａｃＡｄａｍ楕円により、のいずれかにより与えられ得る。たとえば、１９３１年図上の特定のセットの座標により定義される特定された色合いから１０個のＭａｃＡｄａｍ楕円以内であるとして定義される点の場所は、前記特定された色合いから共通の範囲だけ異なるとしておのおの感受される色合いからなる（かつ、ＭａｃＡｄａｍ楕円の他の量だけ、特定の色合いから間隔をあけて配置されていると定義される点の位置についても同様である。）
【００２０】
１９７６図上の同様の距離は、同様の感受される色の相違を表現するので、１９７６図上の点からのずれは、座標ｕ’およびｖ’により、たとえば、点＝（Δｕ’2 + Δｖ'2)1/2からの距離により表現されることができ、おのおの特定の色合いから共通の距離にある点の位置により定義される色合いは、前記特定の色合いから共通の度合だけ異なるとおのおの感受される色合いよりなる。
【００２１】
図１−図３に示される色度図座標、およびＣＩＥ色度図は、多くの本、および、他の刊行物、たとえば、Ｋ．Ｈ．バトラー、“蛍光ランプリン発光体”（ペンシルベニア州立大学プレス１９８０）、９８−１０７ページ、および、Ｇ．ブラッセ等、“ルミネッセント材料”（スプリング出版社１９９４）、１−９−１１０ページ、に詳細に記述されており、ともに参照によりここに組み入れられる。
【００２２】
黒体位置に沿って横たわる色度座標（すなわち、カラー点）は、プランクの方程式：
Ｅ（λ）＝Ａλ-5 /（ｅ(B/T)−ｌ）
ここで、Ｅは、出射強度であり、λは、出射波長であり、Ｔは、黒体の色温度であり、ＡおよびＢは、定数である、
に従う。黒体位置上、またはその近くに横たわるカラー座標は、人間の観察者に対し、楽しみのある白い光を引き出す。１９７６年のＣＩＥ図は、黒体位置に沿っての温度のリストを含む。これらの温度リストは、このような温度への増大をもたらす黒体放射体のカラーパスを示す。加熱された対象が、白熱体となるとき、それは最初に赤みを帯びて輝き、そののち、黄色っぽく輝き、そののち、白く輝き、そして、最後に、青みがかって輝く。これは、黒体放射体のピーク放射と関連する波長が、ウィーン変位法と一貫して、増大した温度とともにますます短くなるために起こる。黒体位置の上に、または近くにある光を生成する発光体は、このように、それらの色温度により記述されることができる。
【００２３】
また１９７６年ＣＩＥ図上に描かれているのは、指定Ａ、Ｂ、Ｃ、Ｄ、およびＥであり、これらは、それぞれ、照明体Ａ、Ｂ、Ｃ、Ｄ、およびＥとして、対応して特定された、いくつかの標準照明体により生成される光に言及している。
【００２４】
広い多種多様性のルミネッセント材料（たとえば、その全体が参照によりここに組み入れられる、米国特許第６，６００，１７５号明細書に開示されているように、ルミファー、あるいはルミノフォリック材料としても知られている）は、公知であり、当業者にとって入手可能である。例えば、リン発光体は、たとえば、励起放射源により励起されたとき、反応性の放射（例えば、可視光線）を発するルミネッセント材料である。多くの場合、応答する放射は、励起する放射の波長と異なる波長を持つ。ルミネッセント材料の他の例は、シンチレーター、昼日グローテープ、および紫外線を照射されると可視スペクトル内において輝くインクを含む。
【００２５】
ルミネッセント材料は、ダウンコンバートするもの、すなわち、フォトンをより低いエネルギーレベル（より長い波長）に変換する材料である、あるいは、アップコンバートするもの、すなわち、フォトンをより高いエネルギーレベル（より短い波長）に変換する材料である、ものとして分類されることができる。
【００２６】
ルミネッセント材料を、ＬＥＤ装置内に含むことは、上記したように、ルミネッセント材料を、清浄な収容材料（たとえば、エポキシ系、またはシリコーン系材料）に、たとえば、ブレンディングまたはコーティングプロセスにより、付加することにより遂行されてきた。
【００２７】
たとえば、米国特許第６，９６３，１６６号明細書（Ｙａｎｏ‘１６６）は、従来の発光ダイオードランプが、発光ダイオードチップ、発光ダイオードチップを覆うための弾丸形状透明ハウジング、電流を発光ダイオードチップに供給する導線、および発光ダイオードチップの放射を一定の方向に反射するためのチップ反射器、そこにおいては、発光ダイオードチップは、第１の樹脂部分により収容されており、これは、さらに第２の樹脂部分により収容されている、を含むことを開示している。Ｙａｎｏ‘１６６によれば、第１の樹脂部分は、カップリフレクタを樹脂材料で満たし、それを、発光ダイオードチップが、カップリフレクタの底上にマウントされ、そののち、そのカソード、およびアノード電極が、ワイヤによりリードに電気的に接続された後に、キュアーすることにより得られる。Ｙａｎｏ‘１６６によれば、リン発光体は、発光ダイオードチップから出射された光Ａにより励起されるよう、第１の樹脂部分において分散され、該励起されたリン発光体は、光Ａより長い波長を持つ蛍光発光（“光Ｂ”）を生成し、該光Ａの一部は、リン発光体を含む第１の樹脂部分を通って送信され、結果として、光Ａと光Ｂの混合物である光Ｃが、照明として用いられる。
【００２８】
上記したように、“白ＬＥＤ光”（すなわち、白、または、白に近いと感受される光）は、白い白熱電球に対する可能な置き替えとして研究されて来た。白色ＬＥＤランプの代表的な例は、窒化インジウムガリウム（ＩｎＧａＮ）、または窒化ガリウム（ＧａＮ）よりなる青色発光ダイオードチップのパッケージでＹＡＧ等のリン発光体によりコートされたもの、を含む。このようなＬＥＤランプにおいて、青色発光ダイオードチップは、約４５０ｎｍの波長を持つ放射を生成し、リン発光体は、その放射を受信したとき、約５５０ｎｍのピーク波長を持つ黄色の蛍光を生成する。たとえば、ある設計においては、白色発光ダイオードは、青色発光半導体発光ダイオードの外部表面上に、セラミックリン発光体層を形成することにより、製造される。発光ダイオードチップより出射される青色光の一部は、リン発光体を通過し、一方、該発光ダイオードチップより出射される青色光の一部は、リン発光体により吸収され、これは、励起され、黄色光を発する。発光ダイオードチップより出射され、リン発光体を通過した青色光の一部は、リン発光体により発射された黄色光と混合される。観察者は、青、および黄色の光の混合物を、白色光として感受する。もう１つのタイプは、赤の、またはオレンジの、および緑の、または黄色がかった緑の光線を生成する、リン発光体と結合した青、または紫の発光ダイオードチップを用いる。このようなランプにおいて、該発光ダイオードチップにより出射された青、または紫の光で、該リン発光体を励起し、該リン発光体をして、赤、またはオレンジの、および黄または緑の光線を、出射せしめる。これらの光線は、青、または紫の光線と結合して、白色光の感受を生成する。
【００２９】
また上記したように、もう１つのタイプのＬＥＤランプにおいては、紫外光を発射する発光ダイオードチップは、赤（Ｒ）、緑（Ｇ）、青（Ｂ）色光線を生成するリン発光体材料と結合される。このようなＬＥＤランプにおいては、発光ダイオードチップから放射された紫外線は、リン発光体を励起し、リン発光体をして、赤、緑、青の光線を発射せしめ、これらは混合されて、人の目により白色光として感受される。その結果、白色光はまた、これらの光線の混合物としても、得られる。
【００３０】
それゆえ、固体発光素子、たとえば、発光ダイオードを、広い種々の範囲の応用において、より大きいエネルギー効率、改善されたカラーレンダリングインデックス（ＣＲＩ Ｒａ）、改善された有効性（ｌｍ／Ｗ）、および／または、より長いサービス期間でもって使用する方法についての、継続中の必要がある。
【先行技術文献】
【特許文献】
【００３１】
【特許文献１】米国特許第４，９１８，４８７号明細書
【特許文献２】米国特許第５，６３１，１９０号明細書
【特許文献３】米国特許第５，９１２，４７７号明細書
【特許文献４】米国特許第６，６００，１７５号明細書
【特許文献５】米国特許第６，９６３，１６６号明細書
【特許文献６】米国特許第７，２１３，９４０号明細書
【特許文献７】米国特許出願第６０／７５２，５５５号
【特許文献８】米国特許出願第６０／７５２，５５６号
【特許文献９】米国特許出願第６０／７５２，７５３号
【特許文献１０】米国特許出願第６０／７５３，１３８号
【特許文献１１】米国特許出願第６０／７６１，３１０号
【特許文献１２】米国特許出願第６０／７６１，８７９号
【特許文献１３】米国特許出願第６０／７９３，５１８号
【特許文献１４】米国特許出願第６０／７９３，５２４号
【特許文献１５】米国特許出願第６０／７９３，５３０号
【特許文献１６】米国特許出願第６０／７９４，３７９号
【特許文献１７】米国特許出願第６０／７９８，４４６号
【特許文献１８】米国特許出願第６０／８０２，６９７号
【特許文献１９】米国特許出願第６０／８０８，７０２号
【特許文献２０】米国特許出願第６０／８０８，９２５号
【特許文献２１】米国特許出願第６０／８０９，６１８号
【特許文献２２】米国特許出願第６０／８３９，４５３号
【特許文献２３】米国特許出願第６０／８４５，４２９号
【特許文献２４】米国特許出願第６０／８４６，２２２号
【特許文献２５】米国特許出願第６０／８５１，２３０号
【特許文献２６】米国特許出願第６０／８５３，５８９号
【特許文献２７】米国特許出願第６０／８５７，３０５号
【特許文献２８】米国特許出願第６０／８５８，８８１号
【特許文献２９】米国特許出願第６０／８５９，０１３号
【特許文献３０】米国特許出願第６０／８６８，１３４号
【特許文献３１】米国特許出願第６０／８６８，９８６号
【特許文献３２】米国特許出願第６０／８９１，１４８号
【発明の概要】
【００３２】
発明の簡単なサマリー
多くの人々により、段階増加的に調光を行うことができること、すなわち、連続的に可変の強度から選択するより、２つ、またはそれ以上の強度のうちの１つから、選択を行うことができる、ことが望ましいと考えられる。
【００３３】
固体発光素子は、一般に、出力に関して非線形である。これにより、複数のグループの固体発光素子（各グループの固体発光素子は、１つ、またはそれ以上の固体発光素子を含む）を含む照明装置、そこでは、該グループの発光素子のいくらか、またはすべては、異なる色（または、形状）の光を出射する、においては、もし、該デバイスに供給されるエネルギーの電圧、および／または電流（それは、そののち、該デバイス内の固体発光素子のおのおのに供給される）が、変化すれば、該カラー点（混合照明（すなわち、該グループの発光素子のすべてからの光の混合物、たとえば、白と感受される光）の、１９３１年ＣＩＥ図上の（ｘ、ｙ）座標、および／または、該色温度は、望ましくないシフトを行う。
【００３４】
段階増加的調光を与える、プリセットされた調光範囲を与える、かつ、強度としての色温度おける変化を生じない、照明装置における種々の選択についての、継続的な必要がある。
表現“強度”は、ここで、その通常の使用にしたがって、すなわち、与えられた領域上で生成される光の量に言及するものとして使用され、かつ、カンデラ、等の単位で使用される。
【００３５】
本発明によれば、固体発光素子のおのおののグループ（すなわち、各発光された色）が、照明装置から出射される光の全体強度がプリセット値の間で変化しても、実質的に同じ混合された照明の感受される光を維持するように、プリセットされた異なる値を、持つ。
【００３６】
本発明による第１の側面において、第１のグループの固体発光素子、第２のグループ固体発光素子、第１の電流調整器、および第２の電流調整器よりなり、該第１の固体発光素子は、少なくとも１つの第１のグループの固体発光素子よりなり、かつ、該第２のグループの固体発光素子は、少なくとも１つの第２のグループの固体発光素子よりなる照明装置が、与えられる。
【００３７】
本発明のこの第１の側面において、第１の電流調整器は、少なくとも２つの第１の電流調整器設定の間でスイッチ可能であり、かつ、第２の電流調整器は、少なくとも２つの第２の電流調整器設定の中でスイッチ可能である。
【００３８】
本発明のこの第１の側面において、前記少なくとも２つの第１の電流調整器設定は、第１の電流調整器第１設定、および第１の電流調整器第２設定よりなり、前記少なくとも２つの第２の電流調整器設定は、第２の電流調整器第１設定、および第２の電流調整器第２設定よりなる、以下のように：
(1) もし、前記照明装置が、エネルギー供給され、かつ、前記第１の電流調整器が、前記第１の電流調整器第１設定にあれば、第１のグループの第１電流は、前記第１のグループの固体発光素子に供給されるであろう；
(2) もし、前記照明装置が、エネルギー供給され、かつ、前記第１の電流調整器が、前記第１の電流調整器第２設定にあれば、第１のグループの第２電流は、前記第１のグループの固体発光素子に供給されるであろう；
(3) もし、前記照明装置が、エネルギー供給され、かつ、前記第２の電流調整器が、前記第２の電流調整器第１設定にあれば、第２のグループの第１電流は、前記第２のグループの固体発光素子に供給されるであろう；
(4) もし、前記照明装置が、エネルギー供給され、かつ、前記第２の電流調整器が、前記第２の電流調整器第２設定にあれば、第２のグループの第２電流は、前記第２のグループの固体発光素子に供給されるであろう。
【００３９】
本発明のこの第１の側面において、前記第１グループ第１電流は、前記第２グループ第１電流と異なり、かつ、前記第１グループ第２電流は、前記第２グループ第２電流と異なる。
【００４０】
本発明の該第１の側面によるいくらかの実施形態において：
もし、前記第１のグループの第１の電流が、前記第１のグループの固体発光素子のおのおのに供給され、前記第２のグループの第１の電流が、前記第２のグループの固体発光素子のおのおのに供給されれば、前記第１のグループの固体発光素子の結合された強度は、第１のグループの第１の強度であり、かつ、前記第２のグループの固体発光素子の結合された強度は、第２のグループの第１の強度であり、
もし、前記第１のグループの第２の電流が、前記第１のグループの固体発光素子のおのおのに供給され、前記第２のグループの第２の電流が、前記第２のグループの固体発光素子のおのおのに供給されれば、前記第１のグループの固体発光素子の結合された強度は、第１のグループの第２の強度であり、かつ、前記第２のグループの固体発光素子の結合された強度は、第２のグループの第２の強度であり、かつ、
前記第１のグループの第１の強度の、前記第２のグループの第１の強度に対する比は、前記第１のグループの第２の強度の、前記第２のグループの第２の強度に対する比から、５％より大きくないだけ、異なる。
【００４１】
本発明の第１の側面によるいくらかの実施形態において：
もし、前記第１のグループの第１の電流が、前記第１のグループの固体発光素子のおのおのに供給され、前記第２のグループの第１の電流が、前記第２のグループの固体発光素子のおのおのに供給されれば、前記第１のグループの固体発光素子、および前記第２のグループの固体発光素子からの結合された照明は、白と感受されるであろう、かつ、
もし、前記第１のグループの第２の電流が、前記第１のグループの固体発光素子のおのおのに供給され、前記第２のグループの第２の電流が、前記第２のグループの固体発光素子のおのおのに供給されれば、前記第１のグループの固体発光素子、および前記第２のグループの固体発光素子からの結合された照明も、また、白と感受されるであろう。
【００４２】
本発明の第１の側面によるいくらかの実施形態において：
もし、前記第１のグループの第１の電流が、前記第１のグループの固体発光素子のおのおのに供給され、前記第２のグループの第１の電流が、前記第２のグループの固体発光素子のおのおのに供給されれば、前記第１のグループの固体発光素子、および前記第２のグループの固体発光素子からの結合された照明は、１９７６年ＣＩＥ色度図上の第１の点に対応し、該第１の点は、第１の相関カラー温度を持ち、
もし、前記第１のグループの第２の電流が、前記第１のグループの固体発光素子のおのおのに供給され、前記第２のグループの第２の電流が、前記第２のグループの固体発光素子のおのおのに供給されれば、前記第１のグループの固体発光素子、および前記第２のグループの固体発光素子からの結合された照明は、１９７６年ＣＩＥ色度図上の第２の点に対応し、該第２の点は、第２の相関カラー温度を持ち、
前記第１の相関カラー温度は、前記第２の相関カラー温度から、４ＭａｃＡｄａｍ楕円以上でない分だけ、異なる。
【００４３】
表現“相関カラー温度”は、その公知の意味にしたがって、よく定義された意味（すなわち、当業者により、容易に、かつ正確に決定され得る）で、色においてもっとも近い黒体の温度を、言及するのに用いられる。
【００４４】
本発明の第１の側面によるいくらかの実施形態において：
もし、前記第１のグループの第１の電流が、前記第１のグループの固体発光素子のおのおのに供給され、前記第２のグループの第１の電流が、前記第２のグループの固体発光素子のおのおのに供給されれば、前記第１のグループの固体発光素子、および前記第２のグループの固体発光素子からの結合された照明は、座標ｕ’,ｖ’を持つ、１９７６年ＣＩＥ色度図上の第１の点に対応し、
もし、前記第１のグループの第２の電流が、前記第１のグループの固体発光素子のおのおのに供給され、前記第２のグループの第２の電流が、前記第２のグループの固体発光素子のおのおのに供給されれば、前記第１のグループの固体発光素子、および前記第２のグループの固体発光素子からの結合された照明は、座標ｕ’,ｖ’を持つ、１９７６年ＣＩＥ色度図上の第２の点に対応し、かつ、
前記第１の点は、Δｕ’,ｖ’（すなわち、ｕ’の差の平方とｖ’の差の平方の和の平方根）が、１９７６年ＣＩＥ色度図上の、０．００５より大きくないような距離だけ、前記第２の点から離れている。
【００４５】
本発明の第１の側面によるいくらかの実施形態において：
照明装置は、さらに、第３のグループの固体発光素子を備え、該第３のグループの固体発光素子は、少なくとも１つの第３の固体発光素子、および少なくとも２つの第３の電流調整設定の中でスイッチ可能である第３の電流調整器よりなり、かつ、前記少なくとも２つの第３の電流調整器設定は、第３電流調整器第１設定、および第３電流調整器第２設定よりなり；
以下のように：
(5) もし、前記照明装置が、エネルギー供給され、かつ、前記第３の電流調整器が、前記第３の電流調整器第１設定にあれば、第３のグループの第１電流は、前記第３のグループの固体発光素子に供給されるであろう；かつ、
(6) もし、前記照明装置が、エネルギー供給され、かつ、前記第３の電流調整器が、前記第３の電流調整器第２設定にあれば、第３のグループの第２電流が、前記第３のグループの固体発光素子に供給されるであろう；
前記第３グループ第１電流は、前記第１グループ第１電流と異なり、かつ、前記第２グループ第１電流と異なり、かつ、
前記第３グループ第２電流は、前記第１グループ第２電流と異なり、かつ、前記第２グループ第２電流と異なる。
【００４６】
本発明の第１の側面によるいくらかの実施形態において：
前記第１の電流調整器は、少なくとも３つの第１の電流調整器設定の中でスイッチ可能であり、前記少なくとも３つの第１の電流調整器設定は、第１電流調整器第１設定、第１電流調整器第２設定、および第１電流調整器第３設定よりなり；かつ、
前記第２の電流調整器は、少なくとも３つの第２の電流調整器設定の中でスイッチ可能であり、前記少なくとも３つの第２の電流調整器設定は、第２電流調整器第１設定、第２電流調整器第２設定、および第２電流調整器第３設定よりなり；
以下のように：
(5) もし、前記照明装置が、エネルギー供給され、かつ、前記第１の電流調整器が、前記第１の電流調整器第３設定にあれば、第１のグループの第３電流が、前記第１のグループの固体発光素子に供給されるであろう；かつ、
(6) もし、前記照明装置が、エネルギー供給され、かつ、前記第２の電流調整器が、前記第２の電流調整器第３設定にあれば、第２のグループの第３電流が、前記第２のグループの固体発光素子に供給されるであろう；
前記第１グループ第３電流は、前記第２グループ第３電流と異なる。
【００４７】
本発明の第１の側面によるいくらかの実施形態において：
照明装置は、さらに、少なくとも２つのマスター電流調整器設定の中でスイッチ可能であるマスタ電流調整器を、備え、前記少なくとも２つのマスター電流調整器設定は、マスター電流調整器第１設定、およびマスター電流調整器第２設定よりなり；かつ、
以下のように：
(1) もし、前記マスター電流調整器が、前記マスター電流調整器第１設定にあれば、前記第１電流調整器は、前記第１電流調整器第１位置にあり、前記第２電流調整器は、前記第２電流調整器第１位置にあるであろう；かつ、
(2) もし、前記マスター電流調整器が、前記マスター電流調整器第２設定にあれば、前記第１電流調整器、前記第１電流調整器第２位置にあり、前記第２電流調整器は、前記第２電流調整器第２位置にあるであろう。
【００４８】
本発明の第１の側面によるいくらかの実施形態において：
前記第１グループ固体発光素子のおのおのは、第１グループ波長の２０ナノメーター内の主要波長を持つ；かつ、
前記第２グループ固体発光素子のおのおのは、第２グループ波長の２０ナノメーター内の主要波長を持つ。
【００４９】
本発明の第１の側面によるいくらかの実施形態において：
前記第１グループ第１電流は、前記第１グループ第２電流と異なり、前記第２グループ第１電流と異なり、かつ、前記第２グループ第２電流と異なり、かつ、
前記第２グループ第１電流は、前記第１グループ第１電流と異なり、前記第１グループ第２電流と異なり、かつ、前記第２グループ第２電流と異なる。
【００５０】
本発明の第１の側面によるいくらかの実施形態において：
(1) もし、前記照明装置が、エネルギー供給され、かつ、前記第１の電流調整器が、前記第１の電流調整器第１設定にあれば、前記第１のグループの第１電流が、前記第１のグループの固体発光素子のおのおのに供給されるであろう；かつ、
(2) もし、前記照明装置が、エネルギー供給され、かつ、前記第１の電流調整器が、前記第１の電流調整器第２設定にあれば、第１のグループの第２電流が、前記第１のグループの固体発光素子のおのおのに供給されるであろう；
(3) もし、前記照明装置が、エネルギー供給され、かつ、前記第２の電流調整器が、前記第２の電流調整器第１設定にあれば、第２のグループの第１電流が、前記第２のグループの固体発光素子のおのおのに供給されるであろう；かつ、
(4) もし、前記照明装置が、エネルギー供給され、かつ、前記第２の電流調整器が、前記第２の電流調整器第２設定にあれば、第２のグループの第２電流が、前記第２のグループの固体発光素子のおのおのに供給されるであろう。
【００５１】
本発明による第２の側面において、第１のグループの固体発光素子、第２のグループの固体発光素子、第１の電流調整器、および、第２の電流調整器よりなる、該第１のグループの固体発光素子は、少なくとも１つの第１のグループの固体発光素子よりなり、かつ該第２のグループの固体発光素子は、少なくとも１つの第２のグループの固体発光素子よりなる、照明装置が、与えられる。
【００５２】
本発明のこの第２の側面において、前記第１の電流調整器は、少なくとも２つの第１の電流調整器設定の間でスイッチ可能であり、前記第２の電流調整器は、少なくとも２つの第２の電流調整器設定の間でスイッチ可能である。
【００５３】
本発明のこの第２の側面において、前記少なくとも２つの第１の電流調整器設定は、第１の電流調整器第１設定、および第１の電流調整器第２設定よりなり、かつ、前記少なくとも２つの第２の電流調整器設定は、第２の電流調整器第１設定、および第２の電流調整器第２設定よりなり、以下のように：
(1) もし、前記照明装置が、エネルギー供給され、かつ、前記第１の電流調整器が、前記第１の電流調整器第１設定にあれば、第１のグループの第１電流が、前記第１のグループの固体発光素子に供給されるであろう；
(2) もし、前記照明装置が、エネルギー供給され、かつ、前記第１の電流調整器が、前記第１の電流調整器第２設定にあれば、第１のグループの第２電流が、前記第１のグループの固体発光素子に供給されるであろう；
(3) もし、前記照明装置が、エネルギー供給され、かつ、前記第２の電流調整器が、前記第２の電流調整器第１設定にあれば、第２のグループの第１電流が、前記第２のグループの固体発光素子に供給されるであろう；かつ、
(4) もし、前記照明装置が、エネルギー供給され、かつ、前記第２の電流調整器が、前記第２の電流調整器第２設定にあれば、第２のグループの第２電流が、前記第２のグループの固体発光素子に供給されるであろう。
【００５４】
本発明の第２の側面において、
第１グループ第２設定／第１設定比は、第２グループ第２設定／第１設定比と、少なくとも５％だけ、異なる、
前記第１グループ第２設定／第１設定比は、前記第１グループ第２電流が、前記第１グループ第１電流により割り算されたものとして定義され、
前記第２グループ第２設定／第１設定比は、前記第２グループ第２電流が、前記第２グループ第１電流により割り算されたものとして定義される。
【００５５】
本発明の第２の側面によるいくらかの実施形態において：
もし、前記第１のグループの第１の電流が、前記第１のグループの固体発光素子のおのおのに供給され、前記第２のグループの第１の電流が、前記第２のグループの固体発光素子のおのおのに供給されれば、前記第１のグループの固体発光素子の結合された強度は、第１のグループの第１の強度であり、かつ、前記第２のグループの固体発光素子の結合された強度は、第２のグループの第１の強度であり、
もし、前記第１のグループの第２の電流が、前記第１のグループの固体発光素子のおのおのに供給され、前記第２のグループの第２の電流が、前記第２のグループの固体発光素子のおのおのに供給されれば、前記第１のグループの固体発光素子の結合された強度は、第１のグループの第２の強度であり、かつ、前記第２のグループの固体発光素子の結合された強度は、第２のグループの第２の強度であり、かつ、
前記第１のグループの第１の強度の、前記第２のグループの第１の強度に対する比は、前記第１のグループの第２の強度の、前記第２のグループの第２の強度に対する比から、５％より大きくないだけ、異なる。
【００５６】
本発明の第２の側面によるいくらかの実施形態において：
もし、前記第１のグループの第１の電流が、前記第１のグループの固体発光素子のおのおのに供給され、前記第２のグループの第１の電流が、前記第２のグループの固体発光素子のおのおのに供給されれば、前記第１のグループの固体発光素子、および前記第２のグループの固体発光素子からの結合された照明は、白と感受されるであろう、かつ、
もし、前記第１のグループの第２の電流が、前記第１のグループの固体発光素子のおのおのに供給され、前記第２のグループの第２の電流が、前記第２のグループの固体発光素子のおのおのに供給されれば、前記第１のグループの固体発光素子、および前記第２のグループの固体発光素子からの結合された照明も、また、白と感受されるであろう。
【００５７】
本発明の第２の側面によるいくらかの実施形態において：
もし、前記第１のグループの第１の電流が、前記第１のグループの固体発光素子のおのおのに供給され、前記第２のグループの第１の電流が、前記第２のグループの固体発光素子のおのおのに供給されれば、前記第１のグループの固体発光素子、および前記第２のグループの固体発光素子からの結合された照明は、１９７６年ＣＩＥ色度図上の第１の点に対応し、該第１の点は、第１の相関カラー温度を持ち、
もし、前記第１のグループの第２の電流が、前記第１のグループの固体発光素子のおのおのに供給され、前記第２のグループの第２の電流が、前記第２のグループの固体発光素子のおのおのに供給されれば、前記第１のグループの固体発光素子、および前記第２のグループの固体発光素子からの結合された照明は、１９７６年ＣＩＥ色度図上の第２の点に対応し、該第２の点は、第２の相関カラー温度を持ち、
前記第１の相関するカラー温度は、前記第２の相関するカラー温度から、４ＭａｃＡｄａｍ楕円以上でない分だけ、異なる。
【００５８】
本発明の第２の側面によるいくらかの実施形態において：
もし、前記第１のグループの第１の電流が、前記第１のグループの固体発光素子のおのおのに供給され、前記第２のグループの第１の電流が、前記第２のグループの固体発光素子のおのおのに供給されれば、前記第１のグループの固体発光素子、および前記第２のグループの固体発光素子からの結合された照明は、座標ｕ’,ｖ’を持つ、１９７６年ＣＩＥ色度図上の第１の点に対応し、
もし、前記第１のグループの第２の電流が、前記第１のグループの固体発光素子のおのおのに供給され、前記第２のグループの第２の電流が、前記第２のグループの固体発光素子のおのおのに供給されれば、前記第１のグループの固体発光素子、および前記第２のグループの固体発光素子からの結合された照明は、座標ｕ’,ｖ’を持つ、１９７６年ＣＩＥ色度図上の第２の点に対応し、かつ、
前記第１の点は、Δｕ’,ｖ’が、１９７６年ＣＩＥ色度図上の０．００５より大きくないような距離だけ、前記第２の点から離れている。
【００５９】
本発明の第２の側面によるいくらかの実施形態において、照明装置は、さらに、以下のものを備える：
第３のグループの固体発光素子、該第３のグループの固体発光素子は、少なくとも１つの固体発光素子よりなる； および、
第３の電流調整器; および、該第３の電流調整器は、少なくとも２つの第３の電流調整設定の中でスイッチ可能であり、前記少なくとも２つの第３の電流調整器の設定は、第３電流調整器第１設定、および第３電流調整器第２設定よりなり；
以下のように：
(5) もし、前記照明装置が、エネルギー供給され、かつ、前記第３の電流調整器が、前記第３の電流調整器第１設定にあれば、第３のグループの第１電流が、前記第３のグループの固体発光素子に供給されるであろう；かつ、
(6) もし、前記照明装置が、エネルギー供給され、かつ、前記第３の電流調整器が、前記第３の電流調整器第２設定にあれば、第３のグループの第２電流が、前記第３のグループの固体発光素子に供給されるであろう；かつ、
第３グループ第２設定／第１設定比は、前記第１グループ第２設定／第１設定比と、少なくとも５％だけ異なり、かつ、前記第２グループ第２設定／第１設定比と、少なくとも５％だけ異なり、該第３グループ第２設定／第１設定比は、前記第３グループ第２電流が、前記第３グループ第１電流により割り算されたものとして定義される。
【００６０】
本発明の第２の側面によるいくらかの実施形態において、
前記第１の電流調整器は、少なくとも３つの第１の電流調整設定の中でスイッチ可能であり、前記少なくとも３つの第１の電流調整器設定は、第１電流調整器第１設定、第１電流調整器第２設定、および第１電流調整器第３設定よりなり；かつ、
前記第２の電流調整器は、少なくとも３つの第２の電流調整設定の中でスイッチ可能であり、前記少なくとも３つの第２の電流調整器の設定は、第２電流調整器第１設定、第２電流調整器第２設定、および第２電流調整器第３設定よりなり；
以下のように：
(5) もし、前記照明装置が、エネルギー供給され、かつ、前記第１の電流調整器が、前記第１の電流調整器第３設定にあれば、第１のグループの第３電流が、前記第１のグループの固体発光素子に供給されるであろう；かつ、
(6) もし、前記照明装置が、エネルギー供給され、かつ、前記第２の電流調整器が、前記第２の電流調整器第３設定にあれば、第２のグループの第３電流が、前記第２のグループの固体発光素子に供給されるであろう；
第１グループ第３設定／第２設定比は、第２グループ第３設定／第２設定比と、少なくとも５％だけ異なり、
前記第１グループ第３設定／第２設定比は、前記第１グループ第３電流が、前記第１グループ第２電流により分割されたものとして定義され、
前記第２グループ第３設定／第２設定比は、前記第２グループ第３電流が、前記第２グループ第２電流により分割されたものとして定義される。
【００６１】
本発明の第２の側面によるいくらかの実施形態において、照明装置は、さらに、マスター電流調整器を、備え、
該マスター電流調整器は、少なくとも２つのマスター電流調整器設定の中でスイッチ可能であり、前記少なくとも２つのマスター電流調整器設定は、マスター電流調整器第１設定、およびマスター電流調整器第２設定よりなり；かつ、
以下のように：
(1) もし、前記第マスター電流調整器が、前記マスター電流調整器第１設定にあれば、前記第１電流調整器は、前記第１電流調整器第１位置にあり、前記第２電流調整器は、前記第２電流調整器第１位置にあるであろう；かつ、
(2) もし、前記第マスター電流調整器が、前記マスター電流調整器第２設定にあれば、前記第１電流調整器、前記第１電流調整器第２位置にあり、前記第２電流調整器は、前記第２電流調整器第２位置にあるであろう。
【００６２】
本発明の第２の側面によるいくらかの実施形態において、
前記第１グループ固体発光素子のおのおのは、第１グループ波長の２０ナノメーター内の主要波長を持つ；かつ、
前記第２グループ固体発光素子のおのおのは、第２グループ波長の２０ナノメーター内の主要波長を持つ。
【００６３】
本発明の第２の側面によるいくらかの実施形態において、
(1) もし、前記照明装置が、エネルギー供給され、かつ、前記第１の電流調整器が、前記第１の電流調整器第１設定にあれば、前記第１のグループの第１電流が、前記第１のグループの固体発光素子に供給されるであろう；
(2) もし、前記照明装置が、エネルギー供給され、かつ、前記第１の電流調整器が、前記第１の電流調整器第２設定にあれば、前記第１のグループの第２電流が、前記第１のグループの固体発光素子に供給されるであろう；
(3) もし、前記照明装置が、エネルギー供給され、かつ、前記第２の電流調整器が、前記第２の電流調整器第１設定にあれば、前記第２のグループの第１電流が、前記第２のグループの固体発光素子に供給されるであろう；かつ、
(4) もし、前記照明装置が、エネルギー供給され、かつ、前記第２の電流調整器が、前記第２の電流調整器第２設定にあれば、前記第２のグループの第２電流が、前記第２のグループの固体発光素子に供給されるであろう。
【００６４】
本発明の第３の側面において、実質的に同時に以下のことをすることよりなる照明方法が、与えられる：
第１のグループの固体発光素子に与えられる電流を、第１のグループの第１電流から、第１のグループの第２電流に調整すること；および、
第２のグループの固体発光素子に与えられる電流を、第２のグループの第１電流から、第２のグループの第２電流に調整すること。
【００６５】
ここで使用される、表現“実質的に同時に”は、各イベントが、たとえ、このようなイベントが順次に起こっていても、おのおの、互いの短い期間内に起こる、たとえば、１秒以上でないだけ離れている、たとえば、０．１秒以上でないだけ離れている、ことを意味する。
【００６６】
ここで使用される、表現“実質的に透明な”は、実質的に透明であると特徴付けられる構造が、入射する可視光の少なくとも９０％の通過を許すことを、意味する。
【００６７】
本発明のこの第３の側面において、第１の固体発光素子は、少なくとも１つの第１のグループの固体発光素子よりなり、かつ、第２の固体発光素子は、少なくとも１つの第２のグループの固体発光素子よりなる。
【００６８】
さらに、本発明のこの第３の側面においては、前記第１のグループの第１の電流は、前記第２のグループの第１の電流と異なり、かつ、前記第１のグループの第２の電流は、前記第２のグループの第２の電流と異なる。
【００６９】
本発明の第４の実施形態において、実質的に同時に以下のことをすることよりなる照明方法が、与えられる：
第１のグループの固体発光素子に与えられる電流を、第１のグループの第１電流から、第１のグループの第２電流に調整すること；および、
第２のグループの固体発光素子に与えられる電流を、第２のグループの第１電流から、第２のグループの第２電流に調整すること。
【００７０】
本発明のこの第４の側面において、第１の固体発光素子は、少なくとも１つの第１のグループの固体発光素子よりなり、かつ、第２の固体発光素子は、少なくとも１つの第２のグループの固体発光素子よりなる。
【００７１】
さらに、本発明のこの第４の側面において、第１のグループの第２設定／第１設定比は、第２グループ第２設定／第１設定比と、少なくとも５％だけ、異なり、第１グループ第２設定／第１設定比は、前記第１グループ第２電流が、前記第１グループ第１電流により割り算されたものとして定義され、第２グループ第２設定／第１設定比は、前記第２グループ第２電流が、前記第２グループ第１電流により割り算されたものとして定義される。
【００７２】
本発明は、以下の図面、および、発明の詳細な説明を参照して、十分に理解されるであろう。
【図面の簡単な説明】
【００７３】
【図１】図１は、１９３１年ＣＩＥ色度図を示す。
【図２】図２は、１９７６年色度図を示す。
【図３】図３は、黒体位置を詳細に示すために、前記１９７６年色度図の拡大部分を示す。
【図４】図４は、本発明による照明装置の第１の実施形態を描く。
【図５】図５は、本発明による照明装置の第２の実施形態を描く。
【図６】図６は、本発明による照明装置の第３の実施形態を描く。
【発明を実施するための形態】
【００７４】
発明の詳細な記述
上記したように、本発明による照明装置は、第１のグループの固体発光素子、第２のグループ固体発光素子、第１の電流調整器、および第２の電流調整器、よりなる。
【００７５】
固体発光素子を言及するときに使用される、表現“イルミネーション”は、少なくともいくらかの電流が、該発光ダイオードに供給されて、該発光ダイオードをして、少なくともいくらかの光を発光させることを意味する。該表現“照明（イルミネーション）”は、該発光ダイオードが、人間の目が、それを光を連続的に発していると感じるようなレートで、光を連続的に、または間欠的に発光している、あるいは、同じ色、または異なる色の複数の発光ダイオードが、人間の目が、それらを光を連続的に発していると感じるような方法で（かつ、異なる色が出射される場合には、それらの色の混合物として）、光を間欠的に、および／または、交互に（“ｏｎ”時間上で、オーバーラップありで、またはなしで）発している状況をカバーしている。
【００７６】
ここでルミファーに言及するときに使用される、表現“励起された”は、少なくともいくらかの電磁放射（たとえば、可視光、紫外光、または、赤外光）が、ルミファーにコンタクトしており、該ルミファーをして、少なくともいくらかの光を発光させることを意味している。表現“励起された”は、該ルミファーが、光を、連続的に、または間欠的に、人間の目が、それを、光を連続的に発していると感じるようなレートで、発光している、あるいは、同じ色、または異なる色の複数のルミファーが、人間の目が、それらを、光を連続的に発していると感じるような方法（かつ、異なる色が出射される場合には、それらの色の混合物として）で、光を、間欠的に、および／または、交互に（“ｏｎ”時間上で、オーバーラップありで、またはなしで）発している状況をカバーしている。
【００７７】
任意の所望の固体発光素子（１つ、または複数）を、本発明により用いることができる。当業者は、広い範囲の種々のこのような発光素子をよく知っており、容易に入手することができる。このような固体発光素子は、無機の、および有機の、光発光素子を含む。このような光発光素子のタイプの例は、広い範囲の発光ダイオード（ポリマー発光ダイオード（ＰＬＥＤ）を含む、無機の、あるいは有機の）、レーザダイオード、薄膜エレクトロルミネッセントデバイス、光発光ポリマー（ＬＥＰ）、そのおのおのの広い範囲のものは、技術においてよく知られている（かつそれゆえ、このようなデバイスを、および／または、それらからこのようなデバイスがつくられる材料を、詳細に記述する必要はない）。
【００７８】
各発光素子は、互いに類似であってよく、互いに異なっていてもよく、あるいは、任意の結合であってよい（すなわち、１つのタイプの複数の固体発光素子があってよく、あるいは２つ、またはそれ以上のタイプのおのおのの１つ、またはそれ以上の固体発光素子があってよい）。
【００７９】
上記したように、用いることのできる固体発光素子の１つのタイプは、ＬＥＤである。このようなＬＥＤは、任意の発光ダイオード（それの、広い範囲の種々のものは、容易に獲得可能であり、当業者によく知られており、それゆえ、このようなデバイスを、および／または、それらからこのようなデバイスがつくられる材料を、詳細に記述する必要はない。）のうちから選択することができる。たとえば、発光ダイオードのタイプの例は、無機の、および有機の、発光ダイオードを含み、そのおのおのの種々のものは、当業者に、よく知られている。
このようなＬＥＤの代表的な例は、その多くのものは、技術においてよく知られているが、リードフレーム、ルミファー、包囲体領域、等を含む。
【００８０】
適切なＬＥＤの代表的な例は、以下に記述されている：
(1) 米国特許出願第６０／７５３，１３８号、２００５年１２月２２日出願、名称“照明装置”（発明者：ジェラルド  Ｈ．ネグレイ）、その全体が参照によりここに組み入れられる;
(2) 米国特許出願第６０／７９４，３７９号、２００６年４月２４日出願、名称“ルミファー膜を空間的に分離することにより、ＬＥＤにおけるスペクトル内容をシフトすること”（発明者：ジェラルド  Ｈ．ネグレイ、およびアントニー  ポール  ヴァンデヴェン；代理人ドケット番号９３１＿００６ＰＲＯ）、その全体が参照によりここに組み入れられる;
(3) 米国特許出願第６０／８０８，７０２号、２００６年５月２６日出願、名称“照明装置”（発明者：ジェラルド  Ｈ．ネグレイ、およびアントニー  ポール  ヴァンデヴェン；代理人ドケット番号９３１＿００９ＰＲＯ）、その全体が参照によりここに組み入れられる;
(4) 米国特許出願第６０／８０８，９２５号、２００６年５月２６日出願、名称“固体発光装置、およびこれを製造する方法”（発明者：ジェラルド  Ｈ．ネグレイ、およびニール  ハンター；代理人ドケット番号９３１＿０１０ＰＲＯ）、その全体が参照によりここに組み入れられる;
(5) 米国特許出願第６０／８０２，６９７号、２００６年５月２３日出願、名称“照明装置、および製造方法”（発明者：ジェラルド  Ｈ．ネグレイ；代理人ドケット番号９３１＿０１１ＰＲＯ）、その全体が参照によりここに組み入れられる;
(6) 米国特許出願第６０／８３９，４５３号、２００６年８月２３日出願、名称“照明装置、および照明方法”（発明者：アントニー  ポール  ヴァンデヴェン、およびジェラルド  Ｈ．ネグレイ；代理人ドケット番号９３１＿０３４ＰＲＯ）、その全体が参照によりここに組み入れられる;
(7) 米国特許出願第６０／８５７，３０５号、２００６年１１月７日出願、名称“照明装置、および照明方法”（発明者：アントニー  ポール  ヴァンデヴェン、ジェラルド  Ｈ．ネグレイ；代理人ドケット番号９３１＿０２７ＰＲＯ）、その全体が参照によりここに組み入れられる;  および、
(8) 米国特許出願第６０／８５１，２３０号、２００６年１０月１２日出願、名称“照明装置、およびこれを製造する方法”（発明者：ジェラルド  Ｈ．ネグレイ；代理人ドケット番号９３１＿０４１ＰＲＯ）、その全体が参照によりここに組み入れられる。
【００８１】
本発明による照明装置は、任意の所望の数の固体発光素子よりなることができる。
上記したように、本発明の第１の側面によるいくらかの実施形態においては、該照明装置は、さらに、１つ、またはそれ以上のルミファーよりなる。
【００８２】
上記したように、本発明によるいくらかの実施形態においては、該照明装置は、さらに、少なくとも１つのルミファー（すなわち、ルミネッセント領域、または少なくとも１つのルミネッセント材料よりなるルミネッセント要素）よりなる。ここで使用される、表現“ルミファー”は、任意のルミネッセント要素、たとえばルミネッセント材料を含む任意の要素を、言及する。
【００８３】
該１つ、または、それ以上のルミファーは、設けられるとき、個々に、任意のルミファーであることができ、その広い範囲の種々のものは、当業者によく知られている。たとえば、該ルミファーにおける該１つ、またはそれ以上のルミネッセント材料は、リン発光体、シンチレーター、昼日グローテープ、紫外線を照射されたとき可視光で輝くインク、等、の中から選択されることができる。該１つ、またはそれ以上のルミネッセント要素は、ダウンコンバートするもの、あるいは、アップコンバートするものでもよく、あるいは、両タイプの結合を含むことができる。たとえば、第１のルミファーは、１つ、またはそれ以上の、ダウンコンバートするルミネッセント材料であることができる。
【００８４】
１つの、またはそれ以上のルミファーの該１つ、または各々は、もし望まれれば、さらに、１つ、またはそれ以上の、高度に透過性の（たとえば、透明の、実質的に透明の、あるいは、幾分拡散性の）バインダー、たとえば、エポキシ、シリコーン、ガラス、金属酸化物、または任意の他の適切な材料（１つ、またはそれ以上のバインダーよりなる任意の与えられたルミファーにおいては、１つ、またはそれ以上のリン発光体が、該１つの、またはそれ以上のバインダー内に分散されることができる）よりなる、を備えることができる。一般に、該ルミファーが厚ければ、該リン発光体の重量パーセントはより低いものであることができる。リン発光体の重量パーセントの代表的な例は、上記したように、該ルミファー全体厚に依存して、該リン発光体の重量パーセントは、一般に、たとえば、０．１重量パーセントから１００重量パーセントまで（たとえば、純粋なリン発光体に、熱間等静圧圧縮成形処理を受けせしめることにより形成されるルミファー）の任意の値であることができるが、約３．３重量パーセントから、約２０重量パーセントを含むことができる。
【００８５】
その中にルミファーが設けられるデバイスは、もし望まれれば、さらに、該固体発光素子（たとえば、発光ダイオード）と該ルミファーとの間に位置する、１つ、またはそれ以上の明確な包囲体（たとえば、１つ、またはそれ以上のシリコーン材料よりなる）を、備えることができる。
【００８６】
該１つ、またはそれ以上のルミファーの該１つ、またはおのおのは、独立に、さらに、数多くの公知の添加物、たとえば、拡散剤、散乱剤、ティント等、の任意のものを、備えることができる。
【００８７】
本発明のいくらかの実施形態において、１つ、またはそれ以上の発光ダイオードを、該１つ、またはそれ以上のルミファーとともに、パッケージ内に含むことができ、該パッケージ内の該１つ、またはそれ以上のルミファーは、該パッケージ内の該１つ、またはそれ以上の発光ダイオードから、米国特許出願第６０／７５３，１３８号，２００５年１２月２２日出願、名称“照明装置”（発明者：ジェラルド  Ｈ．ネグレイ）、その全体が参照によりここに組み入れられる、に記述されているように、改善された光抽出効率を達成するために、離れているものとすることができる。
【００８８】
本発明によるいくらかの実施形態においては、米国特許出願第６０／７６１，３１０号、名称、“空間的にルミファー膜を分離することにより、複数ＬＥＤにおけるスペクトル内容をシフトすること”（発明者：ジェラルド  Ｈ．ネグレイ、およびアントニー  ポール  ヴァンデヴェン）、その全体が参照によりここに組み入れられる、に記述されているように、２つの、またはそれ以上のルミファーを、該２つ、またはそれ以上のルミファーが相互に空間を開けているよう、設けることができる。
【００８９】
上記したように、表現“グループ”は、ここで、特定の色（または、実質的に同様の色）の光を発する固体発光素子を言及するために、用いられる。たとえば、特定のグループは、１つ、またはそれ以上の固体発光素子を含み、そのおのおのは、そのグループの波長の２０ナノメーター以内の主要波長を持つ光を、発する。
【００９０】
本発明のいくらかの実施形態においては、各グループは、そのグループのための、特定の値の特定の範囲内、たとえば、代表的な例として６１５ｎｍの２０ｎｍ内、の主要波長を持つ、照明装置に含まれる固体発光デバイスのすべてを、含む。
【００９１】
本発明による照明装置において用いられる電流調整器は、互いに同様であっても、互いに異なっていてもよく、電流を調整するために使用することのできる、エレクトロニクスの技術における当業者に知られた、広い種々の範囲のデバイス、または構成要素の中から独立に選択することができる。すなわち、固体発光素子を通る電流を調整するために用いることのできる任意のデバイスを、用いることができ、熟練した当業者は、広い範囲のこのようなデバイスをよく知っており、かつ、容易にアクセスできる。
【００９２】
電流調整器は、任意の所望の数の離散的な設定を、独立に持つことができる。表現“…調整器設定の中で、スイッチ可能である”は、(1) 該電流調整器設定が、１つ、またはそれ以上の要素の物理的な位置により記述できる、および、(2) 該電流調整器設定は、どのような要素の位置によっても記述され得ない、たとえば、それは、デジタル制御信号のような、動作モードであり得る、デバイスをカバーすることができる。
【００９３】
本発明による照明装置は、任意の所望の数のグループの固体発光素子を含むことができる、たとえば、該デバイスは、ちょうど２つのグループの固体発光素子を含むことができ、または、第３のグループの固体発光素子を含むことができ、または第３、および第４、および、任意に、第５、第６、第７等のグループを、各グループに少なくとも１つの電流調整器を持って、含むことができる。
【００９４】
上記したように、本発明のいくらかの実施形態においては、照明装置は、さらに、マスター電流調整器を、備える。該マスター電流調整器は、もし用いられれば、少なくとも２つのマスター電流調整器設定の中でスイッチ可能である。該マスター電流調整器の設定を変化させることは、（２つ、またはそれ以上のグループの固体発光素子のための）１つ、またはそれ以上の電流調整器の設定を、変化させることとなる（たとえば、代表的な実施形態においては、もしマスター電流調整器が、第１の設定から第２の設定に変化されれば、該デバイスにおけるいくつかの、またはすべての電流調整器のための電流調整器は、それらの各第１設定からそれらの各第２設定へと変化する）。
【００９５】
表現“…調整器設定の中でスイッチ可能である”は、マスタ電流調整器に適用されたように、電流調整器について、(1) 該電流調整器設定が、１つ、またはそれ以上の要素の物理的な位置により記述できる、および、(2) 該電流調整器設定が、どのような要素の位置によっても記述され得ない、たとえば、それは、デジタル制御信号のような動作モードであり得る、デバイスをカバーすることができる。
【００９６】
いくらかの実施形態において、マスター電流調整器を、第１の設定から、もう１つの他の設定に、変更することは、該デバイスにおける電流調整器のおのおのをして、１つの対応する設定から他の対応する設定に移動せしめることとなる（たとえば、電流調整器のすべてが、実質的に同時により低い電流設定に移動する）。
【００９７】
表現“もし、照明装置が、エネルギー供給されれば”は、任意の適切な形態の電流を、任意の適切な方法で、任意の適切なソースから照明装置に、供給することを意味する。たとえば、電流は、照明装置に取り付けられたコードを、交流（ＡＣ）を供給する電気口（たとえば、壁プラグ）にプラグインすることにより、かつ／または、このようなコードにおけるスイッチを“ｏｎ”位置に移動させることにより、照明装置に供給されることができる。代替的に、あるいは付加的に、照明装置に供給される電流は、直流（ＤＣ）であることができ、かつ／または、バッテリ、光電デバイス、および／または、任の他の適切な装置から供給されることができる。付加的な要素は、望まれれば付加されることができ、当業者は、種々のこのようなデバイス、たとえば電圧調整器を、よく知っている。
【００９８】
固体発光素子、および任意のルミファーは、任意の所望の光の混合物を生成するよう選択されることができる。
【００９９】
所望の光の混合物を与えるこのような構成要素の適切な結合の代表的な例は、以下に記述されている：
(1) 米国特許出願第６０／７５２，５５５号、２００５年１２月２１日出願、名称“照明装置、および照明方法”（発明者：アントニー  ポール  ヴァンデヴェン、およびジェラルド  Ｈ．ネグレイ）、その全体が参照によりここに組み入れられる；
(2) 米国特許出願第６０／７５２，５５６号、２００５年１２月２１日出願、名称“照明装置、および照明方法”（発明者：アントニー  ポール  ヴァンデヴェン、およびジェラルド  Ｈ．ネグレイ）、その全体が参照によりここに組み入れられる；
(3) 米国特許出願第６０／７９３，５２４号、２００６年４月２０日出願、“照明装置、および照明方法”（発明者：アントニー  ポール  ヴァンデヴェン、およびジェラルド  Ｈ．ネグレイ）、その全体が参照によりここに組み入れられる；
(4) 米国特許出願第６０／７９３，５１８号、２００６年４月２０日出願、“照明装置、および照明方法”（発明者：アントニー  ポール  ヴァンデヴェン、およびジェラルド  Ｈ．ネグレイ）、その全体が参照によりここに組み入れられる；
(5) 米国特許出願第６０／７９３，５３０号、２００６年４月２０日出願、名称“照明装置、および照明方法”（発明者：アントニー  ポール  ヴァンデヴェン、およびジェラルド  Ｈ．ネグレイ）、その全体が参照によりここに組み入れられる；
(6) 米国特許第７，２１３，９４０号明細書、２００７年８月５日発行、名称“照明装置、および照明方法”（発明者：アントニー  ポール  ヴァンデヴェン、およびジェラルド  Ｈ．ネグレイ； 代理人ドケット番号９３１＿０３５ＮＰ）、その全体が参照によりここに組み入れられる； および
(7) 米国特許出願第６０／８６８，１３４号、２００６年１月１２日出願、名称“照明装置、および照明方法”（発明者：アントニー  ポール  ヴァンデヴェン、およびジェラルド  Ｈ．ネグレイ；  代理人ドケット番号９３１＿０３５ＰＲＯ）、その全体が参照によりここに組み入れられる；
(8) 米国特許出願第６０／８６８，９８６号、２００６年７月１２日出願、名称“照明装置、および照明方法”（発明者：アントニー  ポール  ヴァンデヴェン、およびジェラルド  Ｈ．ネグレイ；代理人ドケット番号９３１＿０５３ＰＲＯ）、その全体が参照によりここに組み入れられる；
(9) 米国特許出願第６０／８５７，３０５号、２００６年１１月７日出願、名称“照明装置、および照明方法”（発明者：アントニー  ポール  ヴァンデヴェン、およびジェラルド  Ｈ．ネグレイ；代理人ドケット番号９３１＿０２７ＰＲＯ）、その全体が参照によりここに組み入れられる；および、
(10) 米国特許出願第６０／８９１，１４８号、２００７年２月２２日出願、名称“照明装置、および照明方法、光フィルタ、および光をフィルタする方法”（発明者：アントニー  ポール  ヴァンデヴェン；代理人ドケット番号９３１＿０５７ＰＲＯ）、その全体が参照によりここに組み入れられる。
【０１００】
ここで使用される、表現“白と感受される”は、通常の人間の視覚が、該光（すなわち、“白と感受される”として特徴付けられる該光）を、白と感受するであろうことを、意味する。
【０１０１】
本発明の照明装置は、任意の所望の態様で配列され、マウントされ、かつ、電気を供給されることができ、任意の所望のハウジング、またはフィクスチャー上にマウントされることができる。熟練した当業者は、広い範囲の種々の配列、マウントスキーム、電源を供給する装置、ハウジングおよびフィクスチャーをよく知っており、かつ、任意のこのような配列、スキーム、およびハウジングおよびフィクスチャーは、本発明と結合して用いることができる。本発明の照明装置は、任意の望ましい電源に電気的に接続される（あるいは、選択的に接続される）ことができ、当業者は、広い範囲のこのような電源をよく知っている。
【０１０２】
照明装置の配列、照明装置をマウントするスキーム、照明装置に電気を供給する装置、照明装置のためのハウジング、照明装置のためのフィクスチャー、および照明装置のための電源、であって、すべて本発明の照明装置に適切なものは、以下に、記述されている：
(1) 米国特許出願第６０／７５２，７５３号、２００５年１２月２１日出願、名称“照明装置”（発明者：ジェラルド  Ｈ．ネグレイ、アントニー  ポール  ヴァンデヴェン、およびニール  ハンター）、その全体が参照によりここに組み入れられる;
(2) 米国特許出願第６０／７９８，４４６号、２００６年５月５日出願、名称“照明装置”（発明者：アントニー  ポール  ヴァンデヴェン）（代理人ドケット番号９３１＿００８）、その全体が参照によりここに組み入れられる;
(3) 米国特許出願第６０／８４５，４２９号、２００６年９月１８日出願、名称“照明装置、照明アセンブリ、フィクスチャー、および、これを用いるおよび方法”（発明者：アントニー  ポール  ヴァンデヴェン；代理人ドケット番号９３１＿０１９ＰＲＯ）、その全体が参照によりここに組み入れられる;
(4) 米国特許出願第６０／８４６，２２２号、２００６年９月２１日出願、名称“照明アセンブリ、これを搭載する方法、および光を置き換える方法”（発明者：アントニー  ポール  ヴァンデヴェン、およびジェラルド  Ｈ．ネグレイ；代理人ドケット番号９３１＿０２１ＰＲＯ）、その全体が参照によりここに組み入れられる；
(5) 米国特許出願第６０／８０９，６１８号、２００６年５月３１日出願、名称“照明装置、および照明方法”（発明者：ジェラルド  Ｈ．ネグレイ、アントニー  ポール  ヴァンデヴェン、トーマス  Ｇ．コールマン）（代理人ドケット番号９３１＿０２７ＰＲＯ）、その全体が参照によりここに組み入れられる;
(6) 米国特許出願第６０／８５８，８８１号、２００６年１１月１４日出願、名称“光エンジンアセンブリー（発明者：ポール  ケネス  ピッカード、およびグレイ  デイビッド  トロット；代理人ドケット番号９３１＿０３６ＰＲＯ）、その全体が参照によりここに組み入れられる;  および、
(7) 米国特許出願第６０／８５９，０１３号、２００６年１１月１４日出願、名称“照明アセンブリ、および照明アセンブリーの構成要素”（発明者：グレイ  デイビッド  トロット、およびポール  ケネス  ピッカード；代理人ドケット番号９３１＿０３７ＰＲＯ）、その全体が参照によりここに組み入れられる；および、
(8) 米国特許出願第６０／８５３，５８９号、２００６年１０月２３日出願、名称“照明装置、および、光エンジンハウジングを搭載する方法、および／または、照明装置ハウジングにおけるトリム要素”（発明者：グレイ  デイビッド  トロット、およびポール  ケネス  ピッカード；代理人ドケット番号９３１＿０３８ＰＲＯ）、その全体が参照によりここに組み入れられる。
【０１０３】
ここで使用される、表現“照明装置”は、それが光を発することができる点を除いて、限定されない。すなわち、照明装置は、（たとえば、部屋、水泳プール、倉庫、表示器、道路、車両、道路標識、広告用掲示板、船、ボート、航空機、スタジアム、木、窓、および、庭、等の）領域、または体積を照明するデバイス、包囲体を照明するデバイス、またはデバイスアレイ、または、エッジまたはバック照明のためのデバイス（たとえば、後方光投射器、サイン標識、ＬＣＤディスプレイ）または、任意の他の発光デバイス、であることができる。
【０１０４】
本発明は、さらに、照明された包囲体（その体積は、均一に、または不均一に、照明されることができる）に関係しており、１つの閉じた空間、および、少なくとも１つの本発明による照明装置よりなり、ここで、該照明装置は、該表面の少なくとも一部を照明する。
【０１０５】
本発明は、さらに、照明された表面、それは、１つの表面、および、本発明による少なくとも１つの照明装置、ここで、該証明装置は、該表面の少なくとも一部を、照明する。
【０１０６】
本発明は、さらに、水泳プール、部屋、倉庫、表示器、道路、車両、道路標識、広告用掲示板、船、おもちゃ、鏡、ベッセル、電子デバイス、ボート、航空機、スタジアム、コンピュータ、遠隔音響装置、遠隔ビデオ装置、携帯電話、木、窓、庭、街灯柱、指示灯、または、包囲体を照明するデバイスまたはデバイスアレイ、または、エッジまたはバック照明に用いられるデバイス（たとえば、後方光投射器、サイン標識、ＬＣＤディスプレイ）のうちから選択された少なくとも１つのアイテムであって、その中、またはその上に、ここで記述した少なくとも１つの照明装置をマウントしているもの、よりなる照明された領域に、向けられている。
【０１０７】
本発明によるデバイスは、さらに、１つ、またはそれ以上の長寿命冷却装置（たとえば、きわめて長寿命のファン）を備えていてもよい。このような長寿命冷却装置は、“中国ファン”として、空気を移動させるピエゾ電気、または磁気抵抗材料（たとえば、ＭＲ、ＧＭＲ、および／または、ＨＭＲ材料）よりなることができる。本発明によるデバイスを冷却するにおいて、代表的に、境界層を破壊するに必要な空気のみが、１０から１５度の温度の低下を引き起こすのに必要とされる。したがって、このような場合には、強力な“ブリーズ”、または、大きな流量比（大きなＣＦＭ）は、代表的に必要ではない（これにより、従来のファンの必要を回避する）。
【０１０８】
本発明によるいくらかの実施形態においては、米国特許出願第６０／７６１，８７９号、２００６年１月２５日出願、名称“冷却を備えた照明装置”（発明者：トーマス  Ｇ．コールマン、ジェラルド  Ｈ．ネグレイ、およびアントニー  ポール  ヴァンデヴェン）、その全体が参照によりここに組み入れられる、において開示されたような特徴のうちの任意のもの、たとえば、回路網、を用いることができる。
【０１０９】
本発明によるデバイスは、さらに、出射された光の投射された性質を、さらに変更する２次的な光学素子を、備えることができる。このような２次的な光学素子は、当業者によく知られており、かつ、ここで詳細に説明する必要はない−任意のこのような２次的な光学素子を、もし望まれれば、使用することができる。
【０１１０】
本発明によるデバイスは、さらに、センサー、または充電装置、またはカメラ等を、備えることができる。たとえば、当業者は、１つ、またはそれ以上のできごとを検出し、かつ、このような検出に応答して、光の照明、安全カメラの活性化等をトリガーする装置（たとえば、対象物、または、人の動きを検出する動き検出器）をよく知っており、これを容易に入手することができる。代表的な例として、本発明によるデバイスは、本発明による照明装置、および動きセンサーを含み、かつ、(1) 光が照明される間、もし動きセンサーが動きを検出すれば、安全カメラが活性化されて、検出された動きの位置での、またはその周りでのビジュアルデータを、記録する、または、(2) もし動きセンサーが動きを検出すれば、光が、検出された動きに近い領域を照らすよう照明され、安全カメラが活性化されて、検出された動きの位置での、またはその周りでの位置ビジュアルデータを記録するように、構成されることができる。
【０１１１】
図４は、本発明による照明装置の第１の実施形態を描く模式図である。
図４Ｃを参照して、ＡＣ電流が、コード１１を介して照明装置１０に供給される。該照明装置は、３つの設定、第１マスター電流設定、第２マスター電流設定、および第３マスター電流設定の間でスイッチ可能なマスター電流調整器１２を含む。該照明装置は、また、第１電流調整器１３、第２電流調整器１４、および第３電流調整器１５を含む。該第１電流調整器１３は、赤の光を発する第１のシリーズの発光ダイオード１６に電気的に接続されており、該第２の電流調整器１４は、青の光を発する第２のシリーズの発光ダイオード１７に電気的に接続されており、そのうちのいくらかは、ルミファー（各発光ダイオード１７に隣接して位置している）により変換され、このような出力光は、緑であり、該第３電流調整器１５は、青の光を発する第３のシリーズの発光ダイオード１８に電気的に接続されている。
【０１１２】
第１の電流制御器１３は、３つの設定、第１の電流調整器第１設定１９、第１電流調整器第２設定２０、および第１電流調整器第３設定２１を持つ。
第２の電流制御器１４は、３つの設定、第２の電流調整器第１設定２２、第２電流調整器第２設定２３、および第２電流調整器第３設定２４を持つ。
第３の電流調整器１５は、３つの設定、第３の電流調整器第１設定２５、第３電流調整器第２設定２６、および第３電流調整器第３設定２７を持つ。
【０１１３】
マスター電流調整器１２が、第１のマスター電流設定にあるとき、第１の電流調整器１３は、第１の電流調整器第１設定１９にあり、第２の電流調整器１４は、第２の電流調整器第１設定２２にあり、かつ、第３の電流調整器１５は、第３の電流調整器第１設定２５にある。
マスター電流調整器１２が、第２のマスター電流設定にあるとき、第１の電流調整器１３は、第１の電流調整器第２設定２０にあり、第２の電流調整器１４は、第２の電流調整器第２設定２３にあり、かつ、第３の電流調整器１５は、第３の電流調整器第２設定２６にある。
マスター電流調整器１２が、第３のマスター電流設定にあるとき、第１の電流調整器１３は、第１の電流調整器第３設定２１にあり、第２の電流調整器１４は、第２の電流調整器第３設定２４にあり、かつ、第３の電流調整器１５は、第３の電流調整器第３設定２７にある。
【０１１４】
前記第１の電流調整器１３が、第１の電流調整器第１設定１９にあるとき、該第１の電流調整器１３は、第１のシリーズにおける発光ダイオード１６に２０ミリアンペアの電流を、供給する。
【０１１５】
前記第２の電流調整器１４が、第２の電流調整器第１設定２２にあるとき、該第２の電流調整器１４は、第２のシリーズにおける発光ダイオード１７に２０ミリアンペアの電流を、供給する。
【０１１６】
前記第３の電流調整器１５が、第３の電流調整器第１設定２５にあるとき、該第３の電流調整器１５は、第３のシリーズにおける発光ダイオード１８に２０ミリアンペアの電流を、供給する。
【０１１７】
前記第１の電流調整器１３が、第１の電流調整器第２設定２０にあるとき、該第１の電流調整器１３は、第１のシリーズにおける発光ダイオード１６に１５ミリアンペアの電流を、供給する。
【０１１８】
前記第２の電流調整器１４が、第２の電流調整器第２設定２３にあるとき、該第２の電流調整器１４は、第２のシリーズにおける発光ダイオード１７に１３ミリアンペアの電流を、供給する。
【０１１９】
前記第３の電流調整器１５が、第３の電流調整器第２設定２６にあるとき、該第３の電流調整器１５は、第３のシリーズにおける発光ダイオード１８に１１ミリアンペアの電流を、供給する。
【０１２０】
前記第１の電流調整器１３が、第１の電流調整器第３設定２１にあるとき、該第１の電流調整器１３は、第１のシリーズにおける発光ダイオード１６に１０ミリアンペアの電流を、供給する。
【０１２１】
前記第２の電流調整器１４が、第２の電流調整器第３設定２４にあるとき、該第２の電流調整器１４は、第２のシリーズにおける発光ダイオード１７に６ミリアンペアの電流を、供給する。
【０１２２】
前記第３の電流調整器１５が、第３の電流調整器第３設定２７にあるとき、該第３の電流調整器１５は、第３のシリーズにおける発光ダイオード１８に６ミリアンペアの電流を、供給する。
【０１２３】
図５は、本発明による照明装置の第２の実施形態の模式図である。
該第２の実施形態は、該第２の実施形態が、青色光を出射する第１のシリーズの発光ダイオード２８、そのうちのいくらかは、出力光が白であるように、ルミファーにより変換される（赤色光を発する発光ダイオード１６の代わりに）、
(1) 黄色光を出射する第２のシリーズの発光ダイオード２９、そのうちのいくらかは、出力光が白である（発光ダイオード１７、および関連するルミファーの代わりに）、および、
(2) 赤色光を出射する第３のシリーズの発光ダイオード３０（青色光を発する発光ダイオード１８の代わりに）を含むことを除いて、第１の実施形態と類似している。
【０１２４】
図６は、本発明による照明装置の第３の実施形態の模式図である。
該第３の実施形態は、また、第１、第２、第３のシリーズの発光ダイオードが、任意の所望の各色のものであることができることを示すために、第１のシリーズの発光ダイオードが、”Ａ”と表されており、第２のシリーズの発光ダイオードが、”Ｂ”と表されており、第３のシリーズの発光ダイオードが、”Ｃ”と表されている点を除いて、第１の実施形態に類似しており、かつ、該第３の実施形態は、また、任意の所望の数のグループの固体発光素子、および関連する電流調整器を含むことができることを示すよう、“Ｎ＋１”と特定された電流調整器を含む。たとえば、各付加的な実施形態において：
(1) “Ａ”は、白色光を発する直列の発光素子を示し、“Ｂ”は、黄色光を示す直列の発光素子を示し、“Ｃ”は、赤色光を発する直列の発光素子を示す。
(2) “Ａ”は、白色光を発する直列の発光素子を示し、“Ｂ”は、赤色光を示す直列の発光素子を示し、“Ｃ”は、オレンジ色光を発する直列の発光素子を示す。
(3) “Ａ”は、赤色光を発する直列の発光素子を示し、“Ｂ”は、緑色光を示す直列の発光素子を示し、“Ｃ”は、青色光を発する直列の発光素子を示す。
【０１２５】
ある装置における２つの構成要素が、“電気的に接続されている”、との文章は、前記構成要素間に、その挿入が、該デバイスにより提供される１つの機能、または、複数の機能に実質的に影響を与える何らの構成要素も、電気的に存在しないことを、意味する。たとえば、２つの構成要素は、たとえもし、それらが、それらの間に、該デバイスによって与えられる１つの機能、または複数の機能に実質的に影響を与えない小さい抵抗をもっていたとしても、電気的に接続されている、と言うことができる（実際、２つの構成要素を結ぶワイヤは、小さい抵抗であると、考えることができる）；同様に、２つの構成要素は、たとえ、それらが、それらの間に、該デバイスが、付加的な機能を達成することのできるようにする付加的な電気的な構成要素をもってはいるが、該付加的な構成要素を含まないことを除いて同一である、該デバイスにより与えられる１つの機能、または、複数の機能に、実質的に影響を与えないものであれば、電気的に接続されている、と言うことができる；同様に、相互に直接接続されている、あるいは、回路基板上のワイヤ、またはトレースの対向するエンドに、直接接続されている２つの構成要素は、電気的に接続されている。
【０１２６】
ここで記述された照明装置の、任意の２つ、またはそれ以上の構造的部分は、集積されることができる。ここで記述された照明装置の任意の構造的部分は、（もし必要であれば、一緒に保持することのできる）２つ、またはそれ以上の部分にて設けられることができる。同様に、任意の２つ、またはそれ以上の機能は、同時に行うことができ、かつ／または、任意の機能は、一連のステップにおいて行うことができる。
【図１】
0005933161.tif 000002
【図２】
0005933161.tif 000003
【図３】
0005933161.tif 000004
【図４】
0005933161.tif 000005
【図５】
0005933161.tif 000006
【図６】
0005933161.tif 000007